(57)【要約】【課題】書き換え型光記録媒体のユーザ記録領域を十分に確保でき、書き換えが頻繁に行われる用途においても情報を破壊することなく安定して繰り返し記録できる光記録装置を提供する。【解決手段】光記録媒体１１に対して情報の記録・再生を行なう光記録装置１において、通常記録モードまたは繰り返し記録モードを設定する記録モード設定手段９と、繰り返し記録モードによる繰り返し記録に適した光記録媒体の媒体識別情報を格納する記憶手段１０とを有し、記録モード設定手段９により通常記録モードが設定されている状態では、全ての記録可能な光記録媒体に対して情報を記録可能とし、繰り返し記録モードが設定されている状態では、記憶手段１０に格納されている媒体識別情報に対応する光記録媒体に対してのみ情報を記録可能に構成する。【選択図】図１
2006155775.tif 000002
【特許請求の範囲】
【請求項１】
光記録媒体に対して情報の記録・再生を行なう光記録装置において、
通常記録モードまたは繰り返し記録モードを設定する記録モード設定手段と、
上記繰り返し記録モードによる繰り返し記録に適した光記録媒体の媒体識別情報を格納する記憶手段とを有し、
上記記録モード設定手段により上記通常記録モードが設定されている状態では、全ての記録可能な光記録媒体に対して情報を記録可能とし、上記繰り返し記録モードが設定されている状態では、上記記憶手段に格納されている媒体識別情報に対応する光記録媒体に対してのみ情報を記録可能に構成したことを特徴とする光記録装置。
【請求項２】
上記記録モード設定手段は、上記通常記録モードまたは上記繰り返し記録モードのいずれかを設定するための記録モード切替スイッチを有することを特徴とする請求項１に記載の光記録装置。
【請求項３】
上記記録モード設定手段は、上記通常記録モードを実行するための通常記録モード制御プログラムまたは上記繰り返し記録モードを実行するための繰り返し記録モード制御プログラムを格納するプログラムメモリを有し、該プログラムメモリに格納されている制御プログラムにより記録モードを設定することを特徴とする請求項１に記載の光記録装置。
【請求項４】
上記通常記録モードと上記繰り返し記録モードとで、情報の記録条件を異ならせたことを特徴とする請求項１，２または３に記載の光記録装置。
【発明の詳細な説明】
【技術分野】
【０００１】
本発明は、光記録媒体に対して情報の記録・再生を行なう光記録装置、特に光磁気ディスクや相変化型光ディスクのような書き換え型の光記録媒体に対して情報の記録・再生を行なう光記録装置に関するものである。
【背景技術】
【０００２】
書き換え型の光記録媒体として、例えば、媒体中の記録媒体情報管理領域に予め書き換え可能回数を記録しておき、ユーザ情報管理領域には、書き換え可能回数以上の数のユーザ情報管理ブロックを設けて、書き換え回数や履歴等のデータ管理を可能にしたものが知られている（例えば、特許文献１参照）。
【特許文献１】特開平８−１８５６７５号公報
【発明の開示】
【発明が解決しようとする課題】
【０００３】
しかしながら、特許文献１に開示のように、記録媒体情報管理領域に書き換え可能回数を記録すると共に、ユーザ情報管理領域に書き換え可能回数以上の数のユーザ情報管理ブロックを設けると、その分、ユーザ領域の容量が減ってしまうという問題がある。
【０００４】
また、記録媒体情報管理領域に書き換え可能回数を設定する場合には、使用される光記録装置の記録ばらつき、光記録媒体自体の感度ばらつき、環境温度等を全て考慮して決定する必要があることから、実力の書き換え可能回数と比較して、かなり少ない回数に設定する必要がある。このため、光記録装置や光記録媒体の実力よりも、少ない回数しか書き換えができなくなるという問題がある。
【０００５】
一方、書き換え型の光記録媒体は、多数のメーカーから提供されているが、その中には、光記録装置との関係から書き換えが頻繁に行われる用途には適さないものもある。このため、このような光記録媒体を用いて情報の書き換えを頻繁に行なうと、大切な情報が破壊されることが懸念される。
【０００６】
したがって、かかる事情に鑑みてなされた本発明の目的は、書き換え型の光記録媒体のユーザ記録領域を十分に確保できると共に、書き換えが頻繁に行われる用途においても、情報を破壊することなく安定して繰り返し記録できる光記録装置を提供することにある。
【課題を解決するための手段】
【０００７】
上記目的を達成する請求項１に係る発明は、光記録媒体に対して情報の記録・再生を行なう光記録装置において、
通常記録モードまたは繰り返し記録モードを設定する記録モード設定手段と、
上記繰り返し記録モードによる繰り返し記録に適した光記録媒体の媒体識別情報を格納する記憶手段とを有し、
上記記録モード設定手段により上記通常記録モードが設定されている状態では、全ての記録可能な光記録媒体に対して情報を記録可能とし、上記繰り返し記録モードが設定されている状態では、上記記憶手段に格納されている媒体識別情報に対応する光記録媒体に対してのみ情報を記録可能に構成したことを特徴とするものである。
【０００８】
請求項２に係る発明は、請求項１に記載の光記録装置において、上記記録モード設定手段は、上記通常記録モードまたは上記繰り返し記録モードのいずれかを設定するための記録モード切替スイッチを有することを特徴とするものである。
【０００９】
請求項３に係る発明は、請求項１に記載の光記録装置において、上記記録モード設定手段は、上記通常記録モードを実行するための通常記録モード制御プログラムまたは上記繰り返し記録モードを実行するための繰り返し記録モード制御プログラムを格納するプログラムメモリを有し、該プログラムメモリに格納されている制御プログラムにより記録モードを設定することを特徴とするものである。
【００１０】
請求項４に係る発明は、請求項１，２または３に記載の光記録装置において、上記通常記録モードと上記繰り返し記録モードとで、情報の記録条件を異ならせたことを特徴とするものである。
【発明の効果】
【００１１】
請求項１に係る発明によると、繰り返し記録モードが設定されている状態では、記憶手段に格納されている媒体識別情報に対応する光記録媒体に対してのみ情報の記録が可能となるので、例えば実験や検証等によって、繰り返し記録モードによる頻繁な繰り返し記録にも適した光記録媒体の媒体識別情報を予め記憶手段に格納しておくことで、書き換えが頻繁に行われる用途においても、情報を破壊することなく安定して繰り返し記録することができる。また、光記録媒体側で書き換え回数等を管理する必要がないので、光記録媒体のユーザ記録領域を十分に確保することができる。
【００１２】
請求項２に係る発明によると、記録モード切替スイッチにより通常記録モードまたは繰り返し記録モードを任意に設定できるので、光記録装置の使い勝手を向上することができる。
【００１３】
請求項３に係る発明によると、プログラムメモリに格納されている制御プログラムによって記録モードが自動的に設定されるので、使用時に記録モードを間違えることがなく、安定して記録を行なうことができる。
【００１４】
請求項４に係る発明によると、繰り返し記録モードに適した記録条件を設定することで、より安定して繰り返し記録を行なうことができる。
【発明を実施するための最良の形態】
【００１５】
以下、本発明に係る光記録装置の実施の形態について、図面を参照して説明する。
【００１６】
（第１実施の形態）
図１および図２は本発明の第１実施の形態を示すもので、図１は光記録装置を有する情報処理システムの概略構成を示す機能ブロック図、図２はその概略動作を説明するためのフローチャートである。
【００１７】
図１に示すように、光記録装置１は、スピンドルモータ２と、レーザダイオード（ＬＤ）３およびフォトディテクタ（ＰＤ）４を備える光ピックアップ５と、レーザ駆動回路６と、情報再生回路７と、制御回路８と、記録モード設定手段である記録モード切替スイッチ９と、媒体識別情報格納用の記憶手段１０とを有しており、挿入された光記録媒体１１に対して情報の記録・再生が可能となっている。
【００１８】
また、光記録装置１は、ＵＳＢケーブルや無線等の通信手段１５を介して、パソコン、デジタルカメラ、ＰＤＡ（携帯情報端末）、カメラ付携帯電話等のホスト２１との間でデータの授受が可能となっている。なお、ホスト２１は、制御回路２２、入力部２３および表示部２４を有している。
【００１９】
図１において、光記録装置１に挿入された光記録媒体１１は、図示しないローディング機構によってスピンドルモータ２に装着されて回転駆動されるようになっている。光ピックアップ５は、光記録媒体１１の半径方向に移動可能となっており、ホスト２１から通信手段１５を介して送られる情報の記録においては、制御回路８の制御のもとにレーザ駆動回路６によってＬＤ３が駆動されて、記録すべき情報に応じて変調された記録パワーのレーザ光が光記録媒体１１に照射されるようになっている。
【００２０】
また、光記録媒体１１に記録されている情報の再生においては、制御回路８の制御のもとにレーザ駆動回路６によってＬＤ３が駆動されて、光記録媒体１１に対して再生パワーのレーザ光が照射され、その光記録媒体１１での反射光がＰＤ４で受光されて、その出力信号が情報再生回路７に供給され、ここで波形整形および２値化処理が行なわれて制御回路８に供給され、該制御回路８において復調およびエラー訂正処理が行われて光記録媒体１１に記録されていた情報として読み出され、その読み出された情報が通信手段１５を介してホスト２１の制御回路２２に送られて各種の処理が行われるようになっている。
【００２１】
本実施の形態では、光記録装置１による記録モードを、記録モード切替スイッチ９により通常記録モードまたは繰り返し記録モードのいずれかに設定し、その設定された記録モードに応じて制御回路８による記録動作を制御する。
【００２２】
また、光記録装置１の記憶手段１０は、例えばフラッシュＲＯＭをもって構成し、該フラッシュＲＯＭに、予め実験や検証等によって、繰り返し記録モードによる頻繁な繰り返し記録にも適した光記録媒体の媒体識別情報（例えば、メーカー名や媒体の種類）を格納した状態で、これを光記録装置１に搭載する。
【００２３】
以下、本実施の形態に係る光記録装置１を含む情報処理システムの概略動作について、図２に示すフローチャートを参照して説明する。
【００２４】
光記録装置１に光記録媒体１１がセットされたら（ステップＳ１）、記録モード切替スイッチ９の設定状態を確認し（ステップＳ２）、通常記録モードであれば、セットされた光記録媒体１１に対して通常の記録・再生動作を行なって（ステップＳ３）、処理を終了する。
【００２５】
これに対し、ステップＳ２において、繰り返し記録モードであることが確認された場合には、光記録媒体１１のコントロールトラックに予め記録されている媒体識別情報（例えば、メーカー名や媒体の種類）を読み取り（ステップＳ４）、その読み取った媒体識別情報が記憶手段１０に格納されているか否か、すなわちセットされた光記録媒体１１が当該光記録装置１による繰り返し記録に対応した光記録媒体であるか否かを照合する（ステップＳ５）。
【００２６】
その結果、光記録媒体１１が繰り返し記録に対応していない場合には、通信手段１５を介してホスト２１にエラーを返して（ステップＳ６）、その旨を表示手段２３に表示させ（ステップＳ７）、処理を終了または挿入された光記録媒体１１を光記録装置１から排出して処理を終了する。
【００２７】
これに対し、光記録媒体１１が繰り返し記録に対応していることが確認された場合には、当該光記録媒体１１に対して所要の記録・再生動作を行なって（ステップＳ８）、処理を終了する。
【００２８】
以上のように、本実施の形態では、繰り返し記録モードによる頻繁な繰り返し記録にも適した光記録媒体の媒体識別情報を予め記憶手段１０に格納しておき、記録モード切替スイッチ９により繰り返し記録モードが設定されている状態では、記憶手段１０に格納されている媒体識別情報に対応する光記録媒体１１に対してのみ情報の記録・記録を可能としたので、書き換えが頻繁に行われる用途においても、情報を破壊することなく安定して繰り返し記録することができる。また、光記録媒体側で書き換え回数等を管理する必要がないので、光記録媒体のユーザ記録領域を十分に確保することができる。
【００２９】
さらに、記録モード切替スイッチ９により通常記録モードまたは繰り返し記録モードのいずれかを任意に設定できるので、光記録装置１の使い勝手を向上することができる。
【００３０】
（第２実施の形態）
図３は、本発明の第２実施の形態に係る光記録装置を有する情報処理システムの概略構成を示す機能ブロック図である。
【００３１】
本実施の形態は、第１実施の形態において、記録モード設定手段として、記録モード切替スイッチ９に代えてプログラムメモリ３１を設け、このプログラムメモリ３１に、通常記録モードを実行するための通常記録モード制御プログラムまたは繰り返し記録モードを実行するための繰り返し記録モード制御プログラムのいずれかを格納し、該プログラムメモリ３１に格納されている制御プログラムにより通常記録モードまたは繰り返し記録モードのいずれかを設定して、格納されている制御プログラムに従って制御回路８により記録・再生動作を制御するようにしたものである。その他の構成は、第１実施の形態と同様であるので、第１実施の形態と同様の作用をなす構成要素には、同一の参照符号を付してその説明を省略する。
【００３２】
したがって、本実施の形態においては、プログラムメモリ３１に通常記録モード制御プログラムが格納されている場合には、通常記録モードとなるので、図２において、ステップＳ１において光記録媒体１１がセットされたのを確認したら、ステップＳ２の処理を行なうことなく、ステップＳ３において通常の記録・再生動作を実行する。
【００３３】
また、プログラムメモリ３１に繰り返し記録モード制御プログラムが格納されている場合には、繰り返し記録モードとなるので、図２において、ステップＳ２およびステップＳ３の処理を省略した動作を実行する。
【００３４】
このように、本実施の形態では、プログラムメモリ３１に格納されている制御プログラムによって、通常記録モードまたは繰り返し記録モードのいずれかを自動的に設定するようにしたので、使用時に記録モードを間違えることがなく、安定して記録を行なうことができる。
【００３５】
（第３実施の形態）
図４および図５は本発明の第３実施の形態を示すもので、図４は光記録装置を有する情報処理システムの概略構成を示す機能ブロック図、図５はその概略動作を説明するためのフローチャートである。
【００３６】
本実施の形態は、第１実施の形態において、光記録装置１に、通常記録モードに適した記録条件および繰り返し記録モードに適した記録条件を格納する記録条件メモリ３５を設け、記録モード切替スイッチ９による記録モードの選択に応じて、制御回路８により記録条件メモリ３５から対応する記録条件を読み出して設定することにより、その設定された記録条件で記録動作を制御するようにしたものである。その他の構成は、第１実施の形態と同様であるので、第１実施の形態と同様の作用をなす構成要素には、同一の参照符号を付してその説明を省略する。
【００３７】
このため、本実施の形態では、図５に示すように、ステップＳ１において光記録装置１に光記録媒体１１がセットされたのを確認し、ステップＳ２において通常記録モードと判定されたら、記録条件メモリ３５から通常記録モードに対応する記録条件を読み出して設定し（ステップＳ１１）、記録においては、その設定された記録条件で、ステップＳ３においてセットされた光記録媒体１１に対して通常の記録動作を行なう。
【００３８】
また、ステップＳ２において繰り返し記録モードと判定され、ステップＳ５において光記録媒体１１が繰り返し記録に対応していることが確認された場合には、記録条件メモリ３５から繰り返し記録モードに対応する記録条件を読み出して設定し（ステップＳ１２）、記録においては、その設定された記録条件で、ステップＳ８においてセットされた光記録媒体１１に対して所要の記録動作を行なう。
【００３９】
なお、その他の動作については、図２に示したフローチャートと同様であるので、ここではその説明を省略する。
【００４０】
ここで、最適な記録条件は、再生時のジッター量で決定されることが望ましく、そのためには、記録パワーを高めに設定して、記録マークの形（エッジ）をくっきりとさせる必要がある。
【００４１】
しかし、記録パワーを高めに設定すると、繰り返し記録の耐久性という観点からは、図６に示すように、記録パワーが低い場合と比較して、記録回数に対するエラーレートが大きくなって光記録媒体を早く劣化させてしまうため、好ましくない。
【００４２】
そこで、本実施の形態では、繰り返し記録モード時における記録パワーを、再生時のジッター量が若干悪化しても繰り返し耐久性に関しては最適となるように、通常記録モード時の記録パワーよりも低く設定する。なお、この記録パワーは、例えばＬＤ３を駆動するパルストレインのデューティー比、ベースパワー或いはピークパワーを適切に設定することで制御する。
【００４３】
このように、繰り返し記録モード時の記録条件を、繰り返し耐久性に最適化した記録条件とすれば、安定して繰り返し記録を行なうことができる。
【００４４】
なお、本発明は、上記実施の形態にのみ限定されるものではなく、幾多の変形または変更が可能である。例えば、第２実施の形態においても、第３実施の形態と同様に、通常記録モードと繰り返し記録モードとで記録条件を異ならせることもできる。この場合には、通常記録モード制御プログラムおよび繰り返し記録モード制御プログラムのそれぞれに、対応する記録条件を付加すればよい。また、第１〜３実施の形態における記憶手段１０や、第２実施の形態におけるプログラムメモリ３１や、第３実施の形態における記録条件メモリ３５は、制御回路８に内蔵させることもできる。
【図面の簡単な説明】
【００４５】
【図１】本発明の第１実施の形態に係る光記録装置を有する情報処理システムの概略構成を示す機能ブロック図である。
【図２】図１の概略動作を説明するためのフローチャートである。
【図３】本発明の第２実施の形態に係る光記録装置を有する情報処理システムの概略構成を示す機能ブロック図である。
【図４】同じく、第３実施の形態に係る光記録装置を有する情報処理システムの概略構成を示す機能ブロック図である。
【図５】図４の概略動作を説明するためのフローチャートである。
【図６】記録パワーによる記録回数とエラーレートとの関係を示す図である。
【符号の説明】
【００４６】
１  光記録装置
２  スピンドルモータ
３  レーザダイオード（ＬＤ）
４  フォトディテクタ（ＰＤ）
５  光ピックアップ
６  レーザ駆動回路
７  情報再生回路
８  制御回路
９  記録モード切替スイッチ
１０  記憶手段
１１  光記録媒体
１５  通信手段
２１  ホスト
２２  制御回路
２３  入力部
２４  表示部
３１  プログラムメモリ
３５  記録条件メモリ
【図１】
2006155775.tif 000003
【図２】
2006155775.tif 000004
【図３】
2006155775.tif 000005
【図４】
2006155775.tif 000006
【図５】
2006155775.tif 000007
【図６】
2006155775.tif 000008